(57)【要約】Ｘ線画像の画像処理に関してディジタルＸ線装置の設定を簡単化するために、方法およびこの方法を実施するために設けられた画像処理ユニットが開示されている。これによると、Ｘ線画像の画像データ（Ｂ）に対して、少なくとも１つの画像処理モジュール（Ａi）によって少なくとも１つのパラメータ（ｐij）に依存して予め定められた修正が行なわれる。パラメータ（ｐij）が画像処理モジュール（Ａi）に現在のパラメータセット（Ｐakt）から供給される。複数の標準パラメータセット（ＰNr.k）が保管され、これらの複数の標準パラメータセット（ＰNr.k）から現在のパラメータセット（Ｐakt）が選択可能である。各標準パラメータセット（ＰNr.k）に対して、保管された画像データの使用のもとに、付属の見本画像（ＶNr.k）が表示可能である。標準パラメータセット（ＰNr.k）の選択が見本画像（ＶNr.k）の選択によって行なわれる。
2006527612.tif 000002
【特許請求の範囲】
【請求項１】
画像データ（Ｂ）に対して少なくとも１つの画像処理モジュール（Ａi）によって少なくとも１つのパラメータ（ｐij）に依存して予め定められた修正が行なわれるディジタルＸ線画像の画像処理方法において、
パラメータ（ｐij）が画像処理モジュール（Ａi）に現在のパラメータセット（Ｐakt）から供給され、
複数の標準パラメータセット（ＰNr.k）が保管され、これらの複数の標準パラメータセット（ＰNr.k）から現在のパラメータセット（Ｐakt）が選択可能であり、
各標準パラメータセット（ＰNr.k）について、保管された画像データの使用のもとに、見本画像（ＶNr.k）が表示可能であり、
標準パラメータセット（ＰNr.k）の選択が見本画像（ＶNr.k）の選択によって行なわれる
ことを特徴とするディジタルＸ線画像の画像処理方法。
【請求項２】
複数の標準パラメータセット（ＰNr.k）が同時に選択可能であり、現在のパラメータセット（Ｐakt）が選択された標準パラメータセット（ＰNr.l）から作成されることを特徴とする請求項１記載の方法。
【請求項３】
現在のパラメータセット（Ｐakt）が、選択された標準パラメータセット（ＰNr.k）のパラメータ固有の線形結合によって作成されることを特徴とする請求項２記載の方法。
【請求項４】
見本画像（ＶNr.k）の表示のために、標準パラメータセット（ＰNr.k）に応じて修正された最終画像の画像データ（Ｂ）が保管されていることを特徴とする請求項１乃至３の１つに記載の方法。
【請求項５】
生画像（Ｖo）の画像データ（Ｂ）が保管され、生画像（Ｖo）の画像データ（Ｂ）が、画像見本（ＶNr.k）の表示のために、少なくとも１つの画像処理モジュール（Ａi）によって標準パラメータセット（ＰNr.k）に依存して修正されることを特徴とする請求項１乃至３の１つに記載の方法。
【請求項６】
種々の被検査器官、種々の撮影投影および／または種々のＸ線発生器設定について種々の標準パラメータセット（ＰNr.k）が保管されていることを特徴とする請求項１乃至５の１つに記載の方法。
【請求項７】
少なくとも１つのパラメータ（ｐij）に依存して画像データ（Ｂ）の予め定められた修正を行なうように構成されている少なくとも１つの画像処理モジュール（Ａi）と、複数の標準パラメータセット（ＰNr.k）を保管しこれらの標準パラメータセット（ＰNr.k）から現在のパラメータセット（Ｐakt）を選択可能にする見本メモリ（２９）と、画像データ（Ｂ）を保管しこれらの画像データ（Ｂ）を用いて各標準パラメータセット（ＰNr.k）について見本画像（ＶNr.k）を表示可能にする画像見本メモリ（３０）とを備え、見本画像（ＶNr.k）が選択可能であり、見本画像（ＶNr.k）の選択によって標準パラメータセット（ＰNr.k）の選択が行なわれることを特徴とするＸ線装置の画像処理ユニット。
【請求項８】
複数の標準パラメータセット（ＰNr.k）の同時選択が可能であり、選択された標準パラメータセット（ＰNr.k）から現在のパラメータセット（Ｐakt）を作成するように構成されている結合モジュール（３１）が設けられていることを特徴とする請求項７記載の画像処理ユニット。
【請求項９】
結合モジュール（３１）は、選択された標準パラメータセット（ＰNr.k）のパラメータ固有の線形結合から現在のパラメータセット（Ｐakt）を算出するように構成されていることを特徴とする請求項８記載の画像処理ユニット。
【請求項１０】
Ｘ線放射器（２）と、ディジタルＸ線検出器（３）と、制御および評価システム（４）とを備え、制御および評価システム（４）が請求項７乃至９の１つに記載の画像処理ユニットを含むことを特徴とするＸ線装置。
【請求項１１】
Ｘ線検出器（３）がアモルファスシリコンからなる能動式読取マトリックス（１８）を有する固体検出器であることを特徴とする請求項１０記載のＸ線装置。
【発明の詳細な説明】
【技術分野】
【０００１】
本発明は、画像データに対して少なくとも１つの画像処理モジュールによって少なくとも１つのパラメータに依存して予め定められた修正が行なわれるディジタルＸ線画像の画像処理方法に関する。更に、本発明は、上述の方法を実施するための画像処理ユニットおよびこの画像処理ユニットを含むＸ線装置に関する。
【０００２】
数年来、ディジタルＸ線検出器が古典的なＸ線撮影もしくは血管撮影および心臓血管撮影を変革させた。ディジタルＸ線検出器の種々のテクノロジーは、部分的に既に長く使用されているか、あるいは市場に売り出せる直前の状態にある。これらのディジタルテクノロジーには、とりわけ、テレビカメラまたはＣＣＤカメラに基づく映像増幅器−カメラシステム、内蔵式または外付け式の読取ユニットを備えた蓄積フィルムシステム、静電読取を行なうセレンを基礎とした検出器、Ｘ線の間接的または直接的変換を行なう能動式読取マトリックスを有する固体検出器が含まれる。
【０００３】
Ｘ線フィルムにより動作する古典的なＸ線撮影と違って、ディジタルＸ線装置におけるＸ線画像は電子的な形すなわち画像データの形で存在する。これは、例えば医療用途において被検査器官または探索された疾病部位を特に良好に可視化するために、Ｘ線画像を、ディスプレイに表示する前に電子的画像処理手段により前処理することを可能にする。通常のディジタル画像処理方法は、例えばＸ線画像のグレー値に依存するカラーまたは明るさ変更のための特性曲線のピクセルごとの適用、低域通過フィルタ、高域通過フィルタまたは中央値フィルタの適用のようなフィルタ操作、周波数帯域に依存するフィルタリング、コントラストまたは明るさ操作（ウィンドウイングとも呼ばれる）などを含む。
【０００４】
使用可能な設定パラメータの豊富化は、一般に、Ｘ線検出器から供給された同一の生画像が光学的印象に関して強く異なる最終画像に処理され得ることをもたらす。しかしながら、期待されかつ最適と感じられる画像印象は一般に放射線医ごとに異なっている。これは、Ｘ線装置によって作成された最終画像をＸ線部門のあるいは個々の放射線医の好みもしくは指導に適応させるために、Ｘ線システムの設置時に一般に画像処理に関する個別的な設定を行なわなければならないことをもたらす。
【０００５】
この設定プロセスは、一般に、設置を実施する技術者と予想される使用者つまり放射線医またはその他の使用専門家との緊密な共同作業で行なわれなければならない。抽象的なパラメータの設定は、医学の専門教育を受けた使用者において通例は必要とされない画像処理技術の詳細な知識を必要とするので、なおさらそうである。従って、Ｘ線装置の設置は著しい人的および時間的な費用につながる。これは、特にＸ線装置によって撮影される各器官（例えば胸部、腰部、腹部、頭部、四肢など）、各撮影投影（側面投影、正面投影、傾斜投影）および場合によっては種々のＸ線発生器設定（電圧、電流、フィルタリング、線量）について、種々の画像処理パラメータセットが作成されなければならないことにもつながる。
【０００６】
本発明の課題は、画像処理に利用されたパラメータの使用者特有の設定が簡単化されているＸ線画像の画像処理方法を提供することにある。更に、本発明の課題は、簡単化された設置を可能にする画像処理ユニット、ならびにこの画像処理ユニットを含むＸ線装置を提供することにある。
【０００７】
方法に関する課題は本発明によれば請求項１の特徴事項によって解決される。この方法を実施するために設けられた画像処理ユニットに関する課題は本発明によれば請求項７の特徴事項によって解決される。これによると、少なくとも１つのパラメータに依存して画像データの予め定められた修正を行なう画像処理ユニットの少なくとも１つの画像処理モジュールに、パラメータが現在のパラメータセットから供給される。画像処理の使用者特有の設定のために、見本メモリに複数の標準パラメータセットが保管され、これらの標準パラメータセットから現在のパラメータセットが選択可能である。同時に画像見本メモリに画像データが保管され、これらの画像データを使用して、保管された各標準パラメータセットに対して付属の見本画像が使用者の選択のために表示可能である。使用可能な標準パラメータセットから現在のパラメータセットを選択することは、本発明によれば、直接ではなく、使用者が付属の見本画像を選択することによって行なわれる。
【０００８】
中間メモリ、見本メモリおよび画像見本メモリは、１つ又は複数の共通に使用された記憶媒体、例えばコンピュータの作業メモリまたは固定ディスク上における区画された領域であると好ましい。
【０００９】
本発明による方法および画像処理ユニットは、所望の画像処理方式の選択が使用者によって抽象的なパラメータに基づいて行なわれるのではなく、画像処理の予想される最終結果の具体的印象を使用者に伝える見本画像に基づいて行なわれるので、Ｘ線装置の直観的な設定を可能にする。それによって、Ｘ線装置の設定のために、画像処理の技術的な細部に関する詳しい知識、例えば個々のパラメータの作用に関する知識は必要でない。従って、Ｘ線装置の設定を、本発明による方法により、医療上の使用者によって自力で、かつ技術者の支援なしに実施することができる。
【００１０】
本方法の簡単な形式においては、使用可能な標準パラメータセットから１つの個別の標準パラメータセットのみが選択可能であり、選択時にその標準パラメータセットが現在のパラメータセットとして引き継がれる。更に、本発明の有利な実施態様においては、使用者が複数の標準パラメータセットを同時に選択することができ、複数の標準パラメータセットから現在のパラメータセットが補間法によって作成される。このために、画像処理ユニットは、有利な実施態様において、選択された標準パラメータセットが供給される結合モジュールを持っている。
【００１１】
現在のパラメータセットは、選択された標準パラメータセットのパラメータ固有の線形結合によって作成されると好ましい。選択された個々の標準パラメータセットは使用者によって任意に重み付け可能であると好ましい。「パラメータ固有の」は、ここでの関係において、上述の線形結合がパラメータセットの各パラメータについて個別に形成されることを意味する。パラメータセットが２次元領域、すなわちパラメータマトリックスｐij(ｉ，ｊ＝１，２，３，…)を含む場合、使用可能な標準パラメータセットＰNr.k（ｋ＝１，２，…，Ｋ）から選択された標準パラメータセットＰNr.l（ｋ1，ｋ2，…∈１，２，…，Ｋによるｌ＝ｋ1，ｋ2，…）のパラメータ固有の線形結合は、数学的に
【数１】
2006527612.tif 000003
なる式によって表される。記号ｐijNr.lは、式１において、選択された標準パラメータセットＰNr.lに含まれているパラメータｐijを表す。同様に、記号ｐijaktは現在のパラメータセットｐaktにおけるパラメータｐijを表す。式１における合計は、選択された全ての標準パラメータセットＰNr.l（ｌ＝ｋ1，ｋ2，…）にわたって行なわれる。記号ａlは選択された標準パラメータセットＰNr.lの重み係数を表す。各重み係数ａlは０と１との間にある値を有する数値であり、全ての重み係数ａl（ｌ＝ｋ1，ｋ2，…）の総和は１である。
【００１２】
パラメータセットが関数の形で定義されているパラメータｐij（ｘ）を含んでいる場合、パラメータ固有の線形結合は次の式によって表される。
【数２】
2006527612.tif 000004
【００１３】
この方法の変形例においては、各評価パラメータセットのために、既に用意された見本画像が保管されている。従って、保管された各見本画像は、基礎をなす生画像に対して付属の標準パラメータセットに応じて既に修正されている。これらの画像データは使用者に対して直接に表示可能である。従って、この方法変形例の場合、見本画像の表示が比較的僅かなデータ処理費用につながる。
【００１４】
それに対して、この方法の代替実施態様においては、Ｘ線装置によって撮影された生画像に相当する画像データが保管されている。
【００１５】
この場合、見本画像は表示前に、保管されている生画像データがまず画像モジュールに導かれて付属の標準パラメータセットに応じて修正されることによって初めて作成される。この方法変形例の利点は柔軟性にある。特に、この方法変形例においては、保管された画像データが交換されなければならないことなしに、標準パラメータセットの変更も容易に可能である。
【００１６】
保管されている標準パラメータセットの自由使用可能な提供は、種々の検査すべき身体部分（例えば、胸部、腰部、腹部、頭部、四肢など）、種々の撮影投影（例えば、側面投影、正面投影）、そして場合によっては、例えば電圧、電流、フィルタリングまたは線量に関して異なる種々のＸ線発生器設定について、種々の異なる標準パラメータセットが保管されているように多様化されていると望ましい。
【００１７】
前述の画像処理ユニットは本発明によれば請求項１０の特徴事項を有するＸ線装置に含まれている。このＸ線装置は、特に、Ｘ線を発生するＸ線放射器とＸ線画像を撮影するディジタルＸ線検出器とを含む。Ｘ線画像は画像データの形で、好ましくはコンピュータ支援された制御および評価システムの構成部分である本発明による画像処理ユニットに供給される。
【００１８】
このＸ線装置の利点は、その設置の過程で必要な画像処理パラメータの設定プロセスが簡単化され、使用者によって十分に自力で実施可能であることにある。
【００１９】
以下において本発明の実施例を図面に基づいて説明する。図面において、
図１はＸ線放射器と、ディジタルＸ線検出器と、画像処理ユニットを含む制御および評価システムとを備えたＸ線装置を概略図で示し、
図２はＸ線検出器を部分的に切断された概略斜視図で示し、
図３は図１による装置の画像処理ユニットを簡単化されたブロック図で示し、
図４は画像処理ユニットの拡張された構成を図３による表示で示し、
図５は画像処理ユニットの代替としての構成を図３による表示で示し、
図６はＸ線検出器によって撮影された生画像ならびに異なる標準パラメータセットを用いて変更された２つの最終画像を模範的対比で示す。
【００２０】
互いに対応する部分および量はこれらの図において常に同じ符号を付されている。
【００２１】
図１に概略的に示されたＸ線装置１は、Ｘ線放射器２と、ディジタルＸ線検出器３と、制御および評価システム４とを含む。Ｘ線放射器２およびＸ線検出器３の間には放射方向５において多分割絞り６および散乱Ｘ線除去用グリッド７が介挿されている。多分割絞り６は、Ｘ線放射器２によって発生されたＸ線ビームＲから所望のサイズの部分ビームを切り抜くのに役立ち、この切り抜かれた部分ビームが被検査者８または被検査物体および散乱Ｘ線除去用グリッド７を通過してＸ線検出器３に入射する。散乱Ｘ線除去用グリッド７は、Ｘ線検出器３によって撮影されたＸ線画像の品質を低下させる横方向の散乱Ｘ線を除去するのに役立つ。
【００２２】
Ｘ線放射器２およびＸ線検出器３は支え９または検査テーブルの上部および下部に移動可能に固定されている。
【００２３】
制御および評価システム４は、Ｘ線放射器２および／またはＸ線検出器３の駆動ならびにＸ線放射器２の供給電圧発生のための制御ユニット１０を含む。制御ユニット１０は、データおよび給電線１１を介してＸ線放射器２に接続されている。制御および評価システム４はさらに画像処理ユニット１２を含む。画像処理ユニット１２はデータ処理装置１３の構成部分であると好ましく、データ処理装置１３は画像処理ソフトウェアに加えてＸ線装置１のための操作ソフトウェアを含んでいる。データ処理装置１３はデータおよびシステムバスライン１４を介して制御ユニット１０およびＸ線検出器３に接続されている。データ処理装置１３は、さらにデータの入出力のために周辺機器、特にディスプレイ１５、キーボード１６およびマウス１７に接続されている。
【００２４】
図２に詳細に示されたＸ線検出器３はいわゆる固体検出器である。この固体検出器はアモルファスシリコン（ａＳｉ）からなる平らな能動式読取マトリックス１８を含み、これの表面は、例えばヨウ化セシウム（ＣｓＩ）からなるＸ線変換層１９により覆われている。このＸ線変換層１９では放射方向５に入射するＸ線Ｒが可視光に変換され、可視光は読取マトリックス１８のフォトダイオード２０において電荷に変換される。この電荷はここでも位置分解されて読取マトリックス１８に蓄積される。蓄積された電荷は、図２に拡大表示された切抜き部２１に示されているように、各フォトダイオード２０に付設されたスイッチ要素２３の電子的活性化２２によって矢印２４の方向に、略示された電子装置２５において読取られる。電子装置２５は、読取った電荷の増幅およびアナログディジタル変換によってディジタル画像データＢを作成する。画像データＢはデータおよびシステムバスライン１４を介して画像処理ユニット１２に伝送される。
【００２５】
画像処理ユニット１２は、データ処理装置１３内で実行されるソフトウェアモジュールの形で実現されていると好ましい。画像処理ユニット１２の簡単化されたブロック図が図３に示されている。Ｘ線検出器３によって生成された画像データＢは、それに応じてまず入力メモリ２６に導かれる。従って、入力メモリ２６は、「生画像」Ｉ0、すなわち処理前のＸ線画像に相当する画像データＢを含む。入力メモリ２６から出発して、画像データＢは連続的に多数の画像処理モジュールＡi（ｉ＝１，２，…，ｎ）に導かれ、各画像処理モジュールは画像データＢを予め定められたように修正する。画像処理モジュールＡiは、例えば画像鮮明度モジュール、フィルタモジュール（特に、低域通過フィルタ、高域通過フィルタ、中央値フィルタおよびそれらの組み合わせ）、コントラストおよび明るさモジュール、周波数帯域に依存するフィルタモジュールまたは画像データの特性曲線に依存する修正モジュールである。各画像処理モジュールＡiは１つ又は複数のパラメータｐij（ｉ＝１，２，…，ｎ；ｊ＝１，２，…，ｍi）によって駆動される。
【００２６】
模範的に、第１の画像処理モジュールＡ1が輪郭強調（“ｅｄｇｅ  ｅｎｈａｎｃｅｍｅｎｔ”）のモジュールであるとする。このモジュールＡ1に割り当てられたパラメータｐ11，ｐ12，ｐ13，…として、例えばフィルタコアの大きさ、高域通過画像の混入度、信号レベル（この信号レベルの上方（または下方）においてフィルタが動作させられるかもしくは抑制される）などが利用される。
【００２７】
更に、各パラメータｐijは個別数値を含み、あるいは特性曲線ｐij（ｘ）すなわち関数従属性を含んでいてもよい。
【００２８】
全てのパラメータｐijの全体はパラメータセットＰと呼ばれる。パラメータセットＰは、例えば２次元領域、すなわち個々のパラメータｐijのマトリックスとして表示されるか又はデータ技術的に取り扱われる。
【００２９】
Ｘ線装置１の作動中に画像処理モジュールＡiは現在のパラメータセットＰaktを使用することができる。この現在のパラメータセットＰaktは中間メモリ２７に格納されている。
【００３０】
現在のパラメータセットＰaktに含まれているパラメータ値はいわば画像処理ユニット１２の基本設定をなす。現在のパラメータセットＰaktに置かれているパラメータｐijに応じて、画像処理モジュールＡiは画像データＢを修正する。今や「最終画像」Ｉ1を含んでいるように修正された画像データＢが出力メモリ２８に格納される。その後、最終画像Ｉ1は例えばディスプレイ１５に表示することができる。
【００３１】
最終画像Ｉ1が使用者の期待に添わない場合、使用者は現在のパラメータセットＰakt、従って画像処理の設定を変更することができる。このために、画像処理ユニット１２は見本メモリ２９を備え、この見本メモリ２９には多数の全部でｋ（ｋ＝２，３，４，…）個の標準パラメータセットＰNr.kが保管されている。なお、文字ｋ（ｋ＝１，２，３，…）は個々の標準パラメータセットＰNr.1，ＰNr.2，…の識別に役立つ索引番号である。
【００３２】
図３に示された画像処理ユニット１２の変形例の場合、後で詳しく説明するように、使用者は、使用可能な標準パラメータセットＰNr.kから、個々の標準パラメータセットＰNr.l（ｌ∈１，２，…，Ｋ）を選択することができ、選択された個々の標準パラメータセットＰNr.lが現在のパラメータセットＰaktに割り付けられる。従って、選択された個々の標準パラメータセットＰNr.lのパラメータ設定が現在のパラメータセットＰaktに伝達される。
【００３３】
使用者に所望の標準パラメータセットＰNr.lの直観的な選択を可能にするために、画像処理ユニット１２はさらに画像見本メモリ３０を有する。この画像見本メモリ３０には、各標準パラメータセットＰNr.kに対する画像データＢの形で、ディスプレイ１５に表示可能な見本画像ＶNr.kが保管されている。各見本画像ＶNr.kは最終画像に相当し、すなわち付属の標準パラメータセットＰNr.kのパラメータ値に応じて修正された生画像に相当する。従って、見本画像ＶNr.kは、使用者に対して、特定の標準パラメータセットＰNr.kの選択時に画像処理に関してどの最終結果が期待できるかについて視覚的印象を伝える。ここで、使用者は、付属の見本画像ＶNr.kを選択することによって、所望の標準パラメータセットＰNr.kを間接的に選択する。これは、例えば、使用者がディスプレイ１５に表示された見本画像ＶNr.kをマウス１７によりクリックするか、あるいはキーボード１６により、見本画像ＶNr.kの該当する索引番号ｋまたはほかの識別子を入力することによって行なうことができる。この方法の大きな利点は、特に、使用者が画像処理の抽象的なパラメータｐijにもはや無理に係わらなくもよいことにある。これは、特に画像処理の技術的詳細を熟知していない使用者に対して、Ｘ線装置１の操作を容易にする。
【００３４】
種々の被検査身体部位または器官、種々の撮影投影および種々のＸ線発生器設定についての種々の標準パラメータセットＰNr.kが用意されるとよい。例えば最初の５つの標準パラメータセットＰNr.1〜ＰNr.5は、正面撮影投影（ａｐｅｒｉｏｒ−ｐｏｓｔｅｒｉｏｒ）および特定のＸ線発生器設定における胸部（ｔｈｏｒａｘ）の撮影に対して用意された異なる画像処理の変形を含む。次の５つの標準パラメータセットＰNr.6〜ＰNr.10は、例えば側面撮影投影における胸部撮影のための異なるパラメータ設定を用意することができる。全ての標準ケースのために用意すべき標準パラメータセットＰNr.kの個数が非常に大きくなることは明白である。使用者に対して、この複数の標準パラメータセットＰNr.kから選択することを容易にするために、使用者を段階的に目標に至らしめる（詳しくは示されていない）メニュー式の案内が用意されていると望ましい。例えば、使用者は、このために、まず検査すべき器官、所望の撮影投影およびＸ線発生器設定を個々に明確にすることを要求される。引続いて、使用すべきパラメータセットを選択するために、使用者に対して、器官、投影およびＸ線発生器設定の予め選択された組合せに対応する見本画像ＶNr.kだけが提示される。
【００３５】
図４には画像処理ユニット１２の拡張された構成が示されている。この構成において、使用者は、現在のパラメータセットＰaktとして１つの個別の標準パラメータセットＰNr.lを簡単に選択できるのみならず、複数の標準パラメータセットＰNr.l（ｋ1，ｋ2∈１，２，…，Ｋによるｌ＝ｋ1，ｋ2，…）を同時に選択し、これらから結合モジュール３１において現在のパラメータセットＰを補間法により作成することもできる。この場合に、使用者は重み付けされた選択をすることができ、すなわち使用者は、選択された各標準パラメータセットＰNr.lの相対的な寄与を付属の重み係数ａlの指定によって明確にすることを要求される。
【００３６】
使用者は、例えば第１のパラメータセットＰNr.1と第３のパラメータセットＰNr.3とを４０：６０の重み比で選択することができる。これは、ここで使用した索引番号において、ｋ1＝１，ｋ2＝３ならびにａ1＝０．４およびａ3＝０．６に相当する。結合モジュール３１は、選択された標準パラメータセットＰNr.lおよび重み係数ａlに基づいて、現在のパラメータセットＰaktを、式（１）および式（２）によるパラメータ固有の線形結合の形成によって作成する。結果は中間メモリ２７に新たな現在のパラメータセットＰaktとして格納される。
【００３７】
図５に示された画像処理ユニット１２の変形の場合、画像見本メモリ３０に最終画像が記憶されるのではなく、生画像見本Ｖo（ｏ＝１，２，３，…）が記憶される。画像見本メモリ３０は種々の撮影投影および種々のＸ線発生器設定における種々の被検査器官の生画像を含むと好ましい。この場合に、索引ｏは個々の生画像見本Ｖoの識別に用いられる。
【００３８】
予め定められた標準パラメータセットＰNr.kに割り付けられた見本画像ＶNr.kの表示のために、まず（詳しくは図示されていないが）、器官、撮影投影およびＸ線発生器設定の組み合わせに関して標準パラメータセットＰNr.kと一致する生画像見本Ｖoが選択される。この生画像見本Ｖoは画像処理モジュールＡiに導かれ、標準パラメータセットＰNr.kに含まれたパラメータｐijNr.kの入力に基づいて修正される。このようにして生画像Ｖoから作成された見本画像ＶNr.kがディスプレイ１５に表示される。
【００３９】
明確にするために、図６にＸ線検出器３によって撮影された胸部画像の生画像Ｉ0ならびに２つの異なる最終画像Ｉ1，Ｉ1’が例示的に対比されている。この場合には画像処理のために、それぞれ、個々の画素のグレー値シフトを特性曲線すなわち関数パラメータｐ1（ｘ）に従って行なう画像処理モジュールＡlが使用された。従って、最終画像Ｉ1，Ｉ1’の異なる光学的印象は、最終画像Ｉ1，Ｉ1’を作成するためのパラメータｐ1（ｘ）が２つの異なる標準パラメータセットＰNr.1もしくはＰNr.2から引き出されことに由来する。
【図面の簡単な説明】
【００４０】
【図１】Ｘ線放射器と、ディジタルＸ線検出器と、画像処理ユニットを含む制御および評価システムとを備えたＸ線装置を示す概略図
【図２】Ｘ線検出器を示す一部に切断部を含む概略斜視図
【図３】図１による装置の画像処理ユニットを簡単化されたブロック図
【図４】画像処理ユニットの拡張された構成を示すブロック図
【図５】画像処理ユニットの代替としての構成を示すブロック図
【図６】Ｘ線検出器によって撮影された生画像と、異なる標準パラメータセットを用いて変更された２つの最終画像とを模範的対比で示す説明図
【符号の説明】
【００４１】
１        Ｘ線装置
２        Ｘ線放射器
３        Ｘ線検出器
４        制御および評価システム
５        放射方向
６        多分割絞り
７        散乱Ｘ線除去用グリッド
８        被検査者
９        台枠
１０        制御ユニット
１１        データおよび給電線
１２        画像処理装置
１３        データ処理装置
１４        データおよびシステムバスライン
１５        ディスプレイ
１６        キーボード
１７        マウス
１８        読取マトリックス
１９        Ｘ線変換層
２０        フォトダイオード
２１        切抜き部
２２        電子的活性化
２３        スイッチ要素
２４        矢印
２５        電子装置
２６        入力メモリ
２７        中間メモリ
２８        出力メモリ
２９        見本メモリ
３０        画像見本メモリ
３１        結合モジュール
Ｂ          画像データ
Ｒ          Ｘ線放射
Ｉ0        生画像
Ｉ1        最終画像
Ｉ1’      最終画像
ａl        選択された標準パラメータセットＰNr.lの重み係数
ｐij       パラメータ
Ｐakt      現在のパラメータセット
ＰNr.k    標準パラメータセット
ＶNr.k    見本画像
ｐijNr.k  標準パラメータセットＰNr.kに含まれるパラメータ
【図１】
2006527612.tif 000005
【図２】
2006527612.tif 000006
【図３】
2006527612.tif 000007
【図４】
2006527612.tif 000008
【図５】
2006527612.tif 000009
【図６】
2006527612.tif 000010
【国際調査報告】
2006527612.tif 000011
2006527612.tif 000012
2006527612.tif 000013
2006527612.tif 000014
2006527612.tif 000015